(57)【特許請求の範囲】
【請求項１】
サーバ側の遠隔ユニットから、同期信号及び画像信号が重畳された重畳信号を受信する受信手段と、
前記重畳信号から、前記同期信号及び前記画像信号を分離する分離手段と、
分離された前記同期信号及び前記画像信号を、外部の表示装置に出力する出力手段と、
前記表示装置から、前記表示装置が要求する前記同期信号及び前記画像信号のタイミング情報を取得する取得手段と、
前記タイミング情報を変更する変更手段と、
変更された前記タイミング情報を、前記サーバ側の遠隔ユニットに送信する送信手段と、を備え、
前記受信手段は、変更された前記タイミング情報に基づいて前記サーバから出力された前記同期信号及び前記画像信号の前記重畳信号を受信し、
前記取得手段は、前記タイミング情報として、前記表示装置のＥＤＩＤに含まれる前記同期信号のバックポーチを取得し、
前記変更手段は、前記バックポーチの長さが所定の基準値以下である場合に、前記バックポーチの長さを大きくすることを特長とする遠隔ユニット。
【請求項２】
サーバと、表示装置と、前記サーバに接続されるローカル側遠隔ユニットと、前記表示装置に接続されるリモート側遠隔ユニットと、前記ローカル側遠隔ユニット及び前記リモート側遠隔ユニットを互いに接続するケーブルと、を備える遠隔システムであって、
前記リモート側遠隔ユニットは、
前記ローカル側遠隔ユニットから、前記ケーブルを介し、同期信号及び画像信号が重畳された重畳信号を受信する受信手段と、
前記重畳信号から、前記同期信号及び前記画像信号を分離する分離手段と、
分離された前記同期信号及び前記画像信号を、前記表示装置に出力する出力手段と、
前記表示装置から、前記表示装置が要求する前記同期信号及び前記画像信号のタイミング情報を取得する取得手段と、
前記タイミング情報を変更する変更手段と、
変更された前記タイミング情報を、前記ケーブルを介し、前記ローカル側遠隔ユニットに送信する送信手段と、
を含み、
前記ローカル側遠隔ユニットは、
前記サーバから出力された前記同期信号及び前記画像信号を重畳し、重畳信号を生成する重畳手段と、
前記重畳信号を前記リモート側遠隔ユニットに送信する送信手段と、
前記リモート側遠隔ユニットから、前記タイミング情報を受信する受信手段と、
前記タイミング情報を、前記サーバから読み取り可能な状態で記憶する記憶手段と、
を含み、
前記サーバは、前記ローカル側遠隔ユニットの前記記憶手段に記憶された前記タイミング情報に基づいて、前記同期信号及び前記画像信号の出力を行い、
前記取得手段は、前記タイミング情報として、前記表示装置のＥＤＩＤに含まれる前記同期信号のバックポーチを取得し、
前記変更手段は、前記バックポーチの長さが所定の基準値以下である場合に、前記バックポーチの長さを大きくすることを特長とする遠隔システム。
【発明の詳細な説明】
【技術分野】
【０００１】
本発明は、遠隔ユニット及びこれを用いた遠隔システムに関する。
【背景技術】
【０００２】
サーバから出力された画像信号を、サーバから離れた場所に設置された表示装置に表示させるための遠隔システムが知られている。当該遠隔システムは、サーバ側の遠隔ユニット（ローカル側遠隔ユニット）と、表示装置側の遠隔ユニット（リモート側遠隔ユニット）とを備え、２つの遠隔ユニット同士はＬＡＮケーブル等で接続されている（例えば、特許文献１を参照）。
【０００３】
表示装置は、ＥＤＩＤ（Extended Display Identification Data）と称する認証情報を有する。ＥＤＩＤには、表示装置が対応可能な周波数及び解像度等の情報の他、画像信号及び同期信号を送信すべきタイミングを示すタイミング情報が含まれている。ＥＤＩＤは、遠隔ユニットを介してサーバに通知され、サーバは当該ＥＤＩＤに適合した画像信号を出力する。これにより、表示装置において画像表示を適切に行うことができる。
【先行技術文献】
【特許文献】
【０００４】
【特許文献１】特開２００７−４２０６３号公報
【発明の概要】
【発明が解決しようとする課題】
【０００５】
従来の遠隔システムでは、送信される画像信号の解像度が大きい場合や、ケーブルによる延長距離が長い場合に、同期信号と画像信号のタイミングにズレが生じ、画像表示を適切に行えない場合があった。
【０００６】
本発明は、上記課題に鑑みなされたものであり、安定した画像表示を行うことのできる遠隔ユニット及びこれを用いた遠隔システムを提供することを目的とする。
【課題を解決するための手段】
【０００７】
本発明は、サーバ側の遠隔ユニットから、同期信号及び画像信号が重畳された重畳信号を受信する受信手段と、前記重畳信号から、前記同期信号及び前記画像信号を分離する分離手段と、分離された前記同期信号及び前記画像信号を、外部の表示装置に出力する出力手段と、前記表示装置から、前記表示装置が要求する前記同期信号及び前記画像信号のタイミング情報を取得する取得手段と、前記タイミング情報を変更する変更手段と、変更された前記タイミング情報を、前記サーバ側の遠隔ユニットに送信する送信手段と、を備え、前記受信手段は、変更された前記タイミング情報に基づいて前記サーバから出力された前記同期信号及び前記画像信号の前記重畳信号を受信し、前記取得手段は、前記タイミング情報として、前記表示装置のＥＤＩＤに含まれる前記同期信号のバックポーチを取得し、前記変更手段は、前記バックポーチの長さが所定の基準値以下である場合に、前記バックポーチの長さを大きくすることを特長とする遠隔ユニットである。
【００１１】
本発明は、サーバと、表示装置と、前記サーバに接続されるローカル側遠隔ユニットと、前記表示装置に接続されるリモート側遠隔ユニットと、前記ローカル側遠隔ユニット及び前記リモート側遠隔ユニットを互いに接続するケーブルと、を備える遠隔システムであって、前記リモート側遠隔ユニットは、前記ローカル側遠隔ユニットから、前記ケーブルを介し、同期信号及び画像信号が重畳された重畳信号を受信する受信手段と、前記重畳信号から、前記同期信号及び前記画像信号を分離する分離手段と、分離された前記同期信号及び前記画像信号を、前記表示装置に出力する出力手段と、前記表示装置から、前記表示装置が要求する前記同期信号及び前記画像信号のタイミング情報を取得する取得手段と、前記タイミング情報を変更する変更手段と、変更された前記タイミング情報を、前記ケーブルを介し、前記ローカル側遠隔ユニットに送信する送信手段と、を含み、前記ローカル側遠隔ユニットは、前記サーバから出力された前記同期信号及び前記画像信号を重畳し、重畳信号を生成する重畳手段と、前記重畳信号を前記リモート側遠隔ユニットに送信する送信手段と、前記リモート側遠隔ユニットから、前記タイミング情報を受信する受信手段と、前記タイミング情報を、前記サーバから読み取り可能な状態で記憶する記憶手段と、を含み、前記サーバは、前記ローカル側遠隔ユニットの前記記憶手段に記憶された前記タイミング情報に基づいて、前記同期信号及び前記画像信号の出力を行い、前記取得手段は、前記タイミング情報として、前記表示装置のＥＤＩＤに含まれる前記同期信号のバックポーチを取得し、前記変更手段は、前記バックポーチの長さが所定の基準値以下である場合に、前記バックポーチの長さを大きくすることを特長とする遠隔システムである。
【発明の効果】
【００１２】
本発明によれば、遠隔システムにおいて、安定した画像表示を行うことができる
【図面の簡単な説明】
【００１３】
【図１】実施例１に係る遠隔システムの全体ブロック図である。
【図２】比較例に係る画像信号を示す図である。
【図３】実施例１に係る遠隔ユニットの動作を示すフローチャートである。
【図４】実施例１に係る画像信号を示す図である。
【図５】画像信号の変形例を示す図である。
【発明を実施するための形態】
【実施例１】
【００１４】
図１は、実施例１に係る遠隔システムの全体ブロック図である。ローカル側の装置として、ＰＣ１０及びローカル側遠隔ユニット２０が、専用ケーブル１２により互いに接続されている。また、リモート側の装置として、モニタ３０、キーボード６０、及びマウス６２が、それぞれリモート側遠隔ユニット４０に接続されている。ローカル側遠隔ユニット２０及びリモート側遠隔ユニット４０は、ＬＡＮケーブル５０により互いに接続されている。
【００１５】
ＰＣ１０は、表示装置に出力する画像データを生成するサーバの一例である。モニタ３０は、遠隔地のサーバから送信された画像データを表示する表示装置の一例であり、モニタ３０に代えてタッチパネル等の表示装置を採用することも可能である。キーボード６０及びマウス６２は、遠隔地のサーバを遠隔操作するための入力装置の一例であり、これらに変えてタッチパネルやトラックボール等の入力装置を採用することも可能である。また、図１では省略したが、リモート側遠隔ユニット４０には、他にも音声出力のためのスピーカ等を接続してもよい。
【００１６】
ローカル側遠隔ユニット２０は、画像延長回路ドライバ２１、制御マイコン２２、ＲＯＭ（Read Only Memory）２３、及び接続部２４〜２５を備える。画像延長回路ドライバ２１には、専用ケーブル１２が接続された接続部２５を介して、ＰＣ１０から画像信号（ＲＧＢ）及び同期信号（ｓｙｎｃ）が入力される。画像延長回路ドライバ２１は、これらの画像信号及び同期信号を重畳して重畳信号（ＲＧＢ＋ｓｙｎｃ）を生成し、ＬＡＮケーブル５０が接続された接続部２４を介して、リモート側遠隔ユニット４０へと出力する。
【００１７】
ＬＡＮケーブル５０は、４組のツイストペア線を含み、そのうち３組を使用して画像信号の三原色（Ｒ（Red）、Ｇ（Green）、B(Blue)）に対応する信号を送信する。同期信号（ｓｙｎｃ）は、Ｇ及びＢの信号線により送信される。残りの１組のツイストペア線は、画像信号以外の信号（キーボード６０及びマウス６２からの制御信号、音声信号等）を送信するために使用される。後述するＥＤＩＤも、当該残り１組のツイストペア線を用いて送信される。ＬＡＮケーブル５０は、ローカル側遠隔ユニット２０及びリモート側遠隔ユニット４０を接続するためのケーブルの一例であり、例えばカテゴリ５のＬＡＮケーブルを用いることができるが、同期信号及び画像信号を重畳した重畳信号を送信可能なものであれば、これ以外の形態であってもよい。
【００１８】
リモート側遠隔ユニット４０は、画像延長回路レシーバ４１、制御マイコン４２、スイッチ４３、及び接続部４４〜４７を備える。画像延長回路レシーバ４１には、ＬＡＮケーブル５０が接続された接続部４４を介して、重畳信号（ＲＧＢ＋ｓｙｎｃ）が入力される。画像延長回路レシーバ４１は、重畳信号を画像信号（ＲＧＢ）及び同期信号（ｓｙｎｃ）に分離する。分離された画像信号及び同期信号は、モニタケーブル３２が接続された接続部４５を介して、モニタ３０へと出力される。
【００１９】
リモート側遠隔ユニット４０側の制御マイコン４２には、接続部４６を介してキーボード６０からの制御信号が、接続部４７を介してマウス６２からの制御信号が、それぞれ入力される。これらの制御信号は、ユーザがＰＣ１０の遠隔操作を行うための信号である。また、制御マイコン４２は、接続部４５を介して、モニタ３０からＥＤＩＤを取得すると共に、必要に応じて当該ＥＤＩＤの変更（書き換え）を行う。これについては後段で詳述する。制御マイコン４２は、上記の制御信号及びＥＤＩＤを、ＬＡＮケーブル５０が接続された接続部４４を介して、ローカル側遠隔ユニット２０へと出力する。
【００２０】
ローカル側遠隔ユニット２０の制御マイコン２２には、ＬＡＮケーブル５０が接続された接続部２４を介して、上記の制御信号及びＥＤＩＤが入力される。制御マイコン２２は、専用ケーブル１２が接続された接続部２５を介して、キーボード６０及びマウス６２からの制御信号をＰＣ１０へと出力する。これにより、ユーザが遠隔地からＰＣ１０を操作することが可能となる。また、制御マイコン２２は、リモート側遠隔ユニット４０から受信したＥＤＩＤを、ＲＯＭ２３へと書き込む。ＲＯＭ２３は、ＥＤＩＤを記憶するための記憶部の一例であり、ＰＣ１０からアクセス可能に設定されている。
【００２１】
ＥＤＩＤ（Extended Display Identification Data）は、モニタが対応する周波数、解像度、製造メーカー名（Vendor ID）、型式（Product ID）など、モニタ固有の特性を記述した１２８バイトのバイナリーファイルである。ＥＤＩＤは、モニタ３０内の記憶部（不図示）に格納されている。
【００２２】
ＰＣ１０は、例えば電源投入時やローカル側遠隔ユニット２０との接続時に、ＲＯＭ２３内に記憶されたＥＤＩＤの読み出しを行う。ＰＣ１０は、読み出されたＥＤＩＤに基づいて、モニタ３０の表示に適した形式（周波数、解像度等）のデータを出力する。このとき、同期信号（ｓｙｎｃ）及び画像信号（ＲＧＢ）のタイミングも、ＥＤＩＤに含まれるタイミング情報を元に決定される。これにより、遠隔地のモニタ３０において、画像表示を適切に行うことができる。
【００２３】
ここで、ＰＣ１０から出力される画像信号の解像度が大きくなると、リモート側遠隔ユニット４０内の画像延長回路レシーバ４１において、同期信号（ｓｙｎｃ）と画像信号（ＲＧＢ）の分離を行う際、画像信号に対して同期信号のタイミングが遅れるという現象が生じる。これは、画像延長回路レシーバ４１を構成するＩＣ（Integrated Circuit）の特性によるものと考えられている。また、ＬＡＮケーブル５０による延長距離が長くなった場合（例えば、３００ｍ以上）にも、同様に画像信号に対して同期信号のタイミングが遅れるという現象が生じる。
【００２４】
図２は、比較例に係る画像信号を示す図である。図２（ａ）はモニタ３０が要求しているタイミングのデータを、図２（ｂ）は実際にリモート側遠隔ユニット４０から出力されるデータを、それぞれ示す。図２（ａ）に示すように、同期信号（ｓｙｎｃ）と画像信号（ＲＧＢ）との間には、バックポーチ（Ｂａｃｋ  Ｐｏｒｃｈ）と称するインターバル期間が存在する。このバックポーチの長さは、例えば３．５μｓｅｃに設定されている。
【００２５】
図２（ｂ）に示すように、同期信号に遅れ（例えば、１μｓｅｃ）が生じると、バックポーチの幅が狭くなり、画像信号の左マージン（Ｌｅｆｔ  Ｂｏａｄｅｒ）と同期信号（ｓｙｎｃ）が接近してしまう。その結果、画像の揺れや歪み等が生じ、モニタ３０において安定した画像表示が行えない場合がある。そこで、以下の説明では、上記画像の揺れや歪みを抑制し、安定した画像表示を行うための構成について説明する。
【００２６】
図３は、実施例１に係る遠隔システムの動作を示すフローチャートである。最初に、リモート側遠隔ユニット４０における制御マイコン４２が、モニタ３０からＥＤＩＤを取得する（ステップＳ１０）。次に、制御マイコン４２は、モニタ３０が要求する同期信号（ｓｙｎｃ）及び画像信号（ＲＧＢ）の間のバックポーチ（Ｂａｃｋ  Ｐｏｒｃｈ）の長さが、所定の基準値以下であるか否かを判定する（ステップＳ１２）。バックポーチは、ステップＳ１０にて取得されたＥＤＩＤに記載されており、これを直接読むことができる。比較対象となる所定の基準値は、モニタの規格や画像信号の解像度等に応じて、予め定められている。
【００２７】
ステップＳ１２にてＹＥＳ（補正が必要）と判定された場合、制御マイコン４２は、ＥＤＩＤ中のタイミング情報を書き換えて変更する（ステップＳ１４）。次に、制御マイコン４２は、変更済みのタイミング情報を含むＥＤＩＤを、ローカル側遠隔ユニット２０へと送信する。（ステップＳ１６）。ステップＳ１２でＮＯ（補正が必要）と判定された場合には、当初のＥＤＩＤが変更されずにローカル側遠隔ユニット２０へと送信される（ステップＳ１６）。
【００２８】
図４は、実施例１に係る画像信号を示す図である。図４（ａ）はモニタ３０が要求しているタイミングのデータを、図４（ｂ）はＥＤＩＤの補正後にＰＣ１０から出力されるデータを、図４（ｃ）は実際にリモート側遠隔ユニット４０から出力されるデータを、それぞれ示す。
【００２９】
図４（ｂ）に示すように、制御マイコン４２は、同期信号（ｓｙｎｃ）の遅れ（１μｓｅｃ）に相当する分だけ、画像信号（ＲＧＢ）の送信タイミングを遅らせる補正を行う。ここでは、同期信号（ｓｙｎｃ）の幅や、画像信号の左マージン（Ｌｅｆｔ  Ｂｏａｄｅｒ）の幅を変更せずに、画像信号（ＲＧＢ）をそのまま後ろにずらす形で補正を行っている。これにより、ＰＣ１０から出力されるデータにおいては、バックポーチ（Ｂａｃｋ  Ｐｏｒｃｈ）の幅が当初（図４（ａ））より大きくなっている。その結果、実際にリモート側遠隔ユニット４０から出力されるデータ（図４（ｃ））のタイミングは、当初のモニタ３０が要求していたデータのタイミングと同じになっている。
【００３０】
以上のように、実施例１に係る遠隔ユニットによれば、リモート側遠隔ユニット４０における制御マイコン４２が、ＥＤＩＤ中のタイミング情報を必要に応じて書き換えることにより、画像延長回路レシーバ４１において生じる同期信号（ｓｙｎｃ）の遅れを相殺している。これにより、ＰＣ１０から出力される画像信号の解像度が大きい場合でも、モニタ３０における画像表示を安定して行うことができる。
【００３１】
また、実施例１によれば、制御マイコン４２がＥＤＩＤの書き換えを行うか否かの判定を、ＥＤＩＤに含まれるタイミング情報（バックポーチの長さ）に基づいて行っている。この際、比較対象となる基準値は、画像信号の解像度ごとに異なる値とすることが好ましい。すなわち、画像信号の解像度が大きいほど、画像延長回路レシーバ４１で生じる同期信号（ｓｙｎｃ）の遅れも大きくなるため、上記基準値を大きくし、自動補正が行われやすくすることが好ましい。反対に、画像信号の解像度が小さい場合には、画像延長回路レシーバ４１で生じる同期信号（ｓｙｎｃ）の遅れは小さくなるため、上記基準値を小さくし、自動補正が行われにくくすることが好ましい。
【００３２】
実施例１では、ＥＤＩＤを補正する際に、画像信号（ＲＧＢ）のタイミングを後ろにずらす方法を採用したが（図４（ｂ））、これ以外の方法によりタイミングの補正を行ってもよい。
【００３３】
図５は、画像信号の補正の変形例を示す図である。図５（ａ）はモニタ３０が要求しているタイミングのデータを、図５（ｂ）は第１の変形例に係る補正データを、図５（ｃ）は第２の変形例に係る補正データをそれぞれ示す。図５（ｂ）の補正データでは、同期信号（ｓｙｎｃ）及び画像信号（ＲＧＢ）の位置は変えずに、同期信号（ｓｙｎｃ）の幅を小さくしている。また、図５（ｃ）の補正データでは、図５（ｂ）と同様に同期信号（ｓｙｎｃ）及び画像信号（ＲＧＢ）の位置は変えずに、画像信号の左マージン（Ｌｅｆｔ  Ｂｏａｄｅｒ）の幅を小さくしている。
【００３４】
本実施例の図４（ｂ）、並びに変形例の図５（ｂ）及び図５（ｃ）に共通する点は、当初のモニタ３０が要求するタイミングのデータに比べ、バックポーチ（Ｂａｃｋ  Ｐｏｒｃｈ）の長さが大きくなっている点である。これにより、データ送信の過程で生じる同期信号（ｓｙｎｃ）の遅れを相殺し、モニタ３０における画像表示を適切に行うことができる。
【００３５】
また、実施例１によれば、リモート側遠隔ユニット４０がスイッチ４３を備えている。スイッチ４３は、ユーザがタイミング情報の補正を手動で行うためのインターフェスであり、スイッチ４３からの入力情報は制御マイコン４２に入力され、ＥＤＩＤの補正に反映される。補正の度合いは、例えばモニタ３０により確認することができる。例えば、ＬＡＮケーブル５０の延長に伴う同期信号（ｓｙｎｃ）の遅れは、使用するＬＡＮケーブル５０の長さにより異なるため、その補正は自動よりも手動で行う方が好ましい。このように、画像信号の解像度に基づく自動補正と、ケーブルの延長距離に基づく手動補正とを併用することにより、より精度の高い調整を行うことができる。
【００３６】
実施例１において、ローカル側遠隔ユニット２０における画像延長回路ドライバ２１は、サーバから出力された同期信号及び画像信号を重畳して重畳信号を生成する重畳手段、及び重畳信号をリモート側遠隔ユニットに送信する送信手段として機能している。また、制御マイコン２２は、リモート側遠隔ユニットからタイミング情報を受信する受信手段として機能している。また、ＲＯＭ２３は、タイミング情報をサーバから読み取り可能な状態で記憶する記憶手段として機能している。
【００３７】
また、リモート側遠隔ユニット４０における画像延長回路レシーバ４１は、同期信号及び画像信号が重畳された重畳信号を受信する受信手段、重畳信号から同期信号及び画像信号を分離する分離手段、及び分離された同期信号及び画像信号を外部の表示装置に出力する出力手段として機能している。また、制御マイコン４２は、表示装置から表示装置が要求する同期信号及び画像信号のタイミング情報を取得する取得手段、タイミング情報を変更する変更手段、及び変更されたタイミング情報をサーバ側の遠隔ユニットに送信する送信手段として機能している。
【００３８】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００３９】
１０          ＰＣ
１２          専用ケーブル
２０          ローカル側遠隔ユニット
２１          画像延長回路ドライバ
２２          制御マイコン
２３          ＲＯＭ
２４〜２５    接続部
３０          モニタ
３２          モニタケーブル
４０          リモート側遠隔ユニット
４１          画像延長回路レシーバ
４２          制御マイコン
４３          スイッチ
４４〜４７    接続部
５０          ＬＡＮケーブル
６０          キーボード
６２          マウス
【図１】
0005991779.tif 000002
【図２】
0005991779.tif 000003
【図３】
0005991779.tif 000004
【図４】
0005991779.tif 000005
【図５】
0005991779.tif 000006